(57)【要約】【課題】ガラス製の内容器と硬質樹脂製の外容器を破損することなく嵌め合わせて密着させることを解決課題とする。【解決手段】有底筒形の内容器１の外側を断熱空間６を介して外容器２で覆い、内容器１の上部と外容器２の上部のうち一方に凸条４を、他方に凹溝５をそれぞれ設け、凸条４と凹溝５の嵌り合いによって内容器１と外容器２の上部を周方向に沿って密着させる二重容器において、内容器１の素材にはガラスを用いると共に、外容器２の素材には容器形状を維持する硬質性と嵌め合わせの際の柔軟性を兼備した樹脂を用い、熱収縮可能な温度の外容器２に内容器１を圧入し、ガラスの内容器１の上端部を外容器２よりも上方に突出させて口部３とし、熱収縮を利用して凸条４と凹溝を密着させる。凸条４をガラス製の内容器１に、凹溝５を樹脂製の外容器２にそれぞれ設ける。【選択図】      図１
2005143630.tif 000002
【特許請求の範囲】
【請求項１】
有底筒形の内容器（１）の外側を断熱空間（６）を介して外容器（２）で覆い、内容器（１）の上部と外容器（２）の上部のうち一方に凸条（４）を、他方に凹溝（５）をそれぞれ設け、凸条（４）と凹溝（５）の嵌り合いによって内容器（１）と外容器（２）の上部を周方向に沿って密着させる二重容器において、
内容器（１）の素材にはガラスを用いると共に、外容器（２）の素材には容器形状を維持する硬質性と嵌め合わせの際の柔軟性を兼備した樹脂を用い、熱収縮可能な温度の外容器（２）に内容器（１）を圧入し、ガラスの内容器（１）の上端部を外容器（２）よりも上方に突出させて口部（３）とし、熱収縮を利用して凸条（４）と凹溝（５）を密着させることを特徴とする二重容器。
【請求項２】
凸条（４）をガラス製の内容器（１）に、凹溝（５）を樹脂製の外容器（２）にそれぞれ設けることを特徴とする請求項１記載の二重容器。
【発明の詳細な説明】
【技術分野】
【０００１】
本発明は、例えばアイスクリームやシャーベット等の氷菓子を作ったり、ビールに代表される飲料を保冷したりする有底筒形の二重容器に関する。
【背景技術】
【０００２】
従来の二重容器としては、内容器と外容器の双方を硬質樹脂で作り、内容器と外容器の上部に有するリング状の凹凸を嵌め合わせることによって内容器と外容器を密着させ、内容器と外容器の間に形成される断熱空間を密閉するものが知られている（特許文献１）。ちなみに、二重容器は、断熱空間の密閉度によって保温性に差ができることから、密閉度を確保することは重要である。また、内容器と外容器に硬質樹脂を用いたのは、二重容器の中に液体等を入れた場合にでもその重量に耐えて容器形状を維持するためである。ところが、硬質樹脂の二重容器は、その素材ゆえ口を付けたときの感触がガラス製の二重容器よりも悪い。
【特許文献１】実開昭６１−３４０８０号公報
【０００３】
また、従来の二重容器としては、内容器と外容器の双方をガラスで作り、内容器と外容器の上部をＯリングを介して密着したものもあるが、Ｏリングの分だけ部品点数が増える。
【発明の開示】
【発明が解決しようとする課題】
【０００４】
そこで本発明者は、内容器をガラス製にすると共に外容器を硬質樹脂製にし、凹凸を利用して内外の容器を嵌め合わせ、ガラス製の内容器を外容器よりも上方に突き出す構造にすることによって、上記問題を解決できないかと考えた。しかし、ガラス製の内容器は変形しないことから、嵌め合わせの際に硬質樹脂製の外容器が能力以上に広がって割れることになった。ちなみに、内容器と外容器の双方が硬質樹脂製の場合は、外容器が広がるだけでなく、内容器が縮むことによって、破損することなく嵌め合わせが可能であった。
【０００５】
本発明は上記実情を考慮して創作されたもので、ガラス製の内容器と硬質樹脂製の外容器を破損することなく嵌め合わせて密着させることを解決課題とする。
【課題を解決するための手段】
【０００６】
本発明は、有底筒形の内容器の外側を断熱空間を介して外容器で覆い、内容器の上部と外容器の上部のうち一方に凸条を、他方に凹溝をそれぞれ設け、凸条と凹溝の嵌り合いによって内容器と外容器の上部を周方向に沿って密着させる二重容器を前提とする。
【０００７】
そして、請求項１の発明は、内容器の素材にはガラスを用いると共に、外容器の素材には容器形状を維持する硬質性と嵌め合わせの際の柔軟性を兼備した樹脂を用い、熱収縮可能な温度の外容器に内容器を圧入し、ガラスの内容器の上端部を外容器よりも上方に突出させて口部とし、熱収縮を利用して凸条と凹溝を密着させることを特徴とする。
【０００８】
外容器は不透明であっても良いが、二重容器の中に入れた飲料物等が容器越しに見えるようにするには、透明なものを用いる。このようにすれば、凹溝と凸条との密着には熱収縮を利用し、Ｏリングや接着剤を使ってないので、体裁の良い透明な外観性が保たれる。
【０００９】
凸条を樹脂製の外容器に、凹溝をガラス製の内容器にそれぞれ設けた場合、ガラス製の内容器はその内周面の凹溝に対応する箇所が成形後の固化中のヒケによって窪むことになる。内周面にリング状に窪む箇所があると、汚れが溜まりやすいし、二重容器の内面を洗い難くなる。これを防ぐには、請求項２の発明のように凸条をガラス製の内容器に、凹溝を樹脂製の外容器にそれぞれ設けることが望ましい。凸条をガラス製の内容器に設ければ、内容器の内周面がでこぼこの無い滑らかな筒状曲面となる。
【発明の効果】
【００１０】
請求項１の発明は、外容器の材料に硬質性と柔軟性を兼備した樹脂を用い、しかも、熱収縮可能な温度の外容器に内容器を圧入するという、工夫を組み合わせることによって、ガラス製の内容器を樹脂製の外容器に圧入しても、外容器が割れることなく嵌り合うことが可能となった。そして、ガラス製の口部により、口を付けた時に良好な感触が得られる。また、熱収縮によって凹溝と凸条を密着させて断熱空間を形成するので、従来のようなＯリングが不要となり、その結果、部品点数が少なくてすみ、生産コストが安くなる。
【００１１】
請求項２の発明は、凸条をガラス製の内容器に設けてあるので、内容器の内周面の凸条に対応する箇所が成形後の固化中に窪まずに、内周面全域がでこぼこの無い滑らかな筒状曲面となる。従って、内容器の内面に汚れが溜まりにくいし、洗いやすい。
【発明を実施するための最良の形態】
【００１２】
本発明の二重容器の第一例は図１、図２に示すように透明なガラス製の内容器１と透明な樹脂製の外容器２とからなるジョッキ形態のものである。
【００１３】
内容器１は有底円筒形であって、その上端部を口部３とし、口部３をそれよりも下側より段差状に外側に張り出している。また、内容器１の外周面であって口部３の下側近傍にはリング状の凸条４を外周方向に沿って突出してある。一方、内容器１の内周面は、段差の殆ど無い滑らかな筒状の曲面である。
【００１４】
外容器２は内容器１よりも一回り大きな有底円筒形であって、その内周面の上端部には凸条４を嵌め込むリング状の凹溝５が内周方向に沿って形成してある。また、凹溝５と凸条４を利用して外容器２と内容器１を嵌め合わせて密着させると、外容器２と内容器１の間に断熱空間６が形成されると共に、外容器２の上端が内容器１の口部３の下に隙間無く密着する。外容器２の底壁７の周縁部には上方に突き出す位置決めリブ８を周方向に間隔をあけて設け、これら位置決めリブ８に内容器１の下端部外周面が当たることになる。外容器２の底壁７には空気抜孔９をあけ、空気抜孔９に栓１０を詰めて断熱空間６を密閉する。符号１１は持ち手である。
【００１５】
外容器２の素材には、スチロールと、株式会社旭化成が製造販売している商品名アサフレックス（登録商標）を５０：５０〜７０：３０（重量％）の割合で混合したものを用いる。容器形状を維持するための硬質性をスチロールによって持たせ、凹溝５と凸条４を嵌め合わせる際に必要な柔軟性をアサフレックスによって持たせてある。スチロールの配合割合を上述した範囲の上限よりも増やすと、外容器２が硬くなって圧入時に割れる。一方、アサフレックスの配合割合を上述した範囲の上限よりも増やすと、外容器２が柔らかくなって容器形状を維持できなくなる。アサフレックスは、スチレン・ブタジエンブロックコポリマーで、高い透明性、優れた耐衝撃性、優れたヒンジ特性を発揮し、スチレン系樹脂との相容性に優れ、耐衝撃性を改良するものである。
【００１６】
第一例の二重容器の作り方は、外容器２に内容器１を圧入する仕方である。ここでの注意点の一つ目は、外容器２には成形直後の熱いもの、６０℃〜１００℃のものを用いる点である。この点を注意すれば、圧入時の凹凸の嵌め合わせによって外容器２が瞬間的に広がっても割れるおそれはない。そして、自然冷却によって外容器２が熱収縮するので、外容器２と内容器１が完全に一体化する。注意点の二つ目は、外容器２の空気抜孔９をあけたまま圧入し、圧入後に栓１０を詰めることである。空気抜孔９に栓１０が詰めてあると、内容器１を外容器２に圧入する際に空気が抜けないことから圧入ができなくなる。なお、ガラス製の内容器１の成形は、プレスブロー成形を用いる。つまり、溶融したガラスを金型内に投入し、プレスによって金型に溶融ガラスをある程度沿わせ、その後、エアブローすることによって金型に溶融ガラスを正確に沿わせて所望の形状とする成形方法である。
【００１７】
本発明の二重容器の第二例は図３に示すように、内容器１と外容器２の間の断熱空間６に保冷剤１２を充填してあることを特徴とする。これによって、保冷効果が長時間に亘って持続する。
【００１８】
また、外容器２は、持ち手が付いた筒状の外周壁１３と、底壁７を別々に成形し、外周壁１３の下端に底壁７を超音波溶着したものを用い、底壁７には第一例よりも大きな空気抜孔９をあけて、その大きさに合わせた栓１０を使用してある。
【００１９】
保冷剤１２としては、例えば小麦澱粉などの有機増粘剤に水を加えてペースト状物を調整し、これに塩化ナトリウムを主成分とする塩を５〜１６重量％添加して粘度を２〜３０００ポイズにしてなるものを用いる。このような保冷剤は−２００℃程度に冷却されてもペースト状態を保ち、その温度低下に伴う膨張が小さく、このため内容器１や外容器２が変形したり破損したりするのを防止できる。なお、保冷剤の代わりに、保温材を用いても良い。
【図面の簡単な説明】
【００２０】
【図１】本発明の二重容器の第一例を分解して示す断面図である。
【図２】（イ）図は本発明の二重容器の第一例を示す平面図、（ロ）図は断面図である。
【図３】本発明の二重容器の第二例を示す断面図である。
【符号の説明】
【００２１】
１  内容器
２  外容器
３  口部
４  凸条
５  凹溝
６  断熱空間
【図１】
2005143630.tif 000003
【図２】
2005143630.tif 000004
【図３】
2005143630.tif 000005